(57)【要約】【課題】場所に関する情報が存在することを示す床面標識を複数まとめて順序立てて扱うことにより、実空間と結びついた物語を作成し、提供する。【解決手段】本発明は、クライアント端末から取得した、床面標識に対する、円環状に数字が配置された標識ＩＤと、該標識ＩＤに対応する文章や写真を含む記事からなる標識データと、該標識データの繋がり方を指定した経路データとを編集してデータベースに格納し、クライアント端末から、標識データの検索要求として、標識ＩＤが入力されると、該標識ＩＤに基づいてデータベースを検索して、対応する標識データを該クライアント端末に送信し、表示させる。【選択図】図１
2010008969.tif 000002
【特許請求の範囲】
【請求項１】
実空間に配置された床面標識と情報を関連付けて管理する標識情報処理装置であって、
クライアント端末から取得した、前記床面標識に対する、円環状に数字が配置された標識ＩＤと、該標識ＩＤに対応する文章や写真を含む記事からなる標識データと、該標識データの繋がり方を指定した経路データとを編集してデータベースに格納する編集手段と、
前記クライアント端末から、標識データの検索要求として、前記標識ＩＤが入力されると、該標識ＩＤに基づいて前記データベースを検索して、対応する標識データを該クライアント端末に送信し、表示させる検索手段と、
を有することを特徴とする標識情報処理装置。
【請求項２】
前記データベースの前記経路データは、
次の標識への方向を表す情報及び経路内の順序情報を有し、
前記検索手段は、
前記標識ＩＤに基づいて、前記データベースの前記経路データを検索し、前記順序情報に基づいて次の標識への方向を表す情報を、前記標識データと共に前記クライアント端末に送信し、表示させる手段を含む
請求項１記載の標識情報処理装置。
【請求項３】
請求項１または２記載の標識情報処理装置を構成する各手段としてコンピュータを機能させるための標識情報処理プログラム。
【発明の詳細な説明】
【技術分野】
【０００１】
本発明は、標識情報処理装置及びプログラムに係り、特に、場所に関する情報が存在することを示す床面標識情報を提示するための標識情報処理装置及びプログラムに関する。
【背景技術】
【０００２】
実空間に設置された「固有のＩＤを持つ床面標識」を用い、床面標識が設置された場所に関する情報を床面標識のＩＤと結びつけて保持し、床面標識のＩＤで場所情報を検索・提示する機能を備える情報案内システムが存在する（例えば、特許文献１参照）。
【特許文献１】特開２００８−０９０８１１号公報
【発明の開示】
【発明が解決しようとする課題】
【０００３】
しかしながら、上記従来の方法では、床面標識はそれぞれ独立しており、床面標識を意味的に関係付ける手段は存在しなかった。そのため、複数の床面標識を特定の意味の下にまとめて構造化することはできなかった。
【０００４】
本発明は、上記の点に鑑みなされたもので、場所に関する情報が存在することを示す床面標識を複数まとめて順序立てて扱うことにより、実空間と結びついた物語を作成し、また、読むことのできる標識情報処理装置及びプログラムを提供することを目的とする。
【課題を解決するための手段】
【０００５】
図１は、本発明の原理構成図である。
【０００６】
本発明（請求項１）は、実空間に配置された床面標識と情報を関連付けて管理する標識情報処理装置であって、
クライアント端末２から取得した、床面標識に対する、円環状に数字が配置された標識ＩＤと、該標識ＩＤに対応する文章や写真を含む記事からなる標識データと、該標識データの繋がり方を指定した経路データとを編集してデータベース１０に格納する編集手段４５と、
クライアント端末２から、標識データの検索要求として、標識ＩＤが入力されると、該標識ＩＤに基づいてデータベース１０を検索して、対応する標識データを該クライアント端末に送信し、表示させる検索手段２０と、を有する。
【０００７】
また、本発明（請求項２）は、データベース１０の経路データに、次の標識への方向を表す情報及び経路内の順序情報を含み、
検索手段２０において、
標識ＩＤに基づいて、データベース１０の経路データを検索し、順序情報に基づいて次の標識への方向を表す情報を、標識データと共にクライアント端末に送信し、表示させる手段を含む。
【０００８】
本発明（請求項３）は、請求項１または２記載の標識情報処理装置を構成する各手段としてコンピュータを機能させるための標識情報処理プログラムである。
【発明の効果】
【０００９】
上記のように本発明によれば、実空間の場所に関する情報が存在することを示す床面標識の標識ＩＤに対応させて文章や写真等の記事を格納し、さらに、複数の床面標識を繋げた経路を物語のように編集し格納することで、閲覧者は、標識ＩＤに基づいて検索された記事を閲覧することができると共に、複数の床面標識の経路を辿ることにより、実空間と結びついた記事を、物語のように読むことが可能となる。
【発明を実施するための最良の形態】
【００１０】
以下、図面と共に本発明の実施の形態を説明する。
【００１１】
本実施の形態で用いる用語を以下に示す。
【００１２】
・実空間に設置された床面標識の固有のＩＤ：「標識ＩＤ」
・標識に対応する文章や写真：「記事」
・２つ以上の床面標識の連なり：「経路」
まず、床面標識について説明する。
【００１３】
図２は、円環数列によるＩＤを持つ床面標識の例である。
【００１４】
円環状に４つの数字を配置する。この円環数列がＩＤとなる。
【００１５】
図２の場合「２３６７」「３４７２」「６７２３」「７２３６」は同じ場所、同じ床面標識を表す１つのＩＤとして扱う。
【００１６】
ＩＤを構成する個々の数字は、方向を示すためにも利用可能である。図２の場合、「２の方向」「３の方向」「６の方向」「７の方向」を示すことができる。
【００１７】
図３は、本発明の一実施の形態における標識情報処理装置の構成を示す。
【００１８】
図３に示す標識情報処理装置１は、サーバ・クライアントシステムのサーバに相当し、クライアントとして利用される携帯端末等のクライアント端末２に接続される。
【００１９】
標識情報処理装置１は、情報（記事）を保存するデータベース１０と、データベース１０に保存された記事を検索し表示する記事検索・表示部２０、記事や経路の情報をデータベース１０に登録する登録部３０、記事を含む標識データを編集する標識データ編集部４０、経路データを編集する経路データ編集部５０、クライアント端末２と通信する通信部６０、標識データと経路データを管理する標識・経路テーブル７０を備える。
【００２０】
クライアント端末２として、床面標識を設置した場所での作業が行えるように携帯型端末を用いる。本実施の形態では、携帯型端末の例として携帯電話を用いる。記事の登録や閲覧の操作には、携帯電話が備えるウェブブラウザを利用する。記事に写真も登録する場合は携帯電話にカメラ機能が必要である。
【００２１】
次に、データベース１０内のデータ構造を説明する。
【００２２】
本発明では、標識データと経路データとを用いる。図４は、本発明の一実施の形態における標識データと経路データの例である。標識データは、図５に示すように、標識ＩＤと記事情報を持つ。標識ＩＤは円環数列であるが、最も小さい数字が左端になるように正規化した値をシステムの内部表現として用いる。例えば、「２３６７」「３６７２」「６７２３」「７２３６」の内部表現値は「２３６７」である。記事情報は、システム内における写真ファイル（図示せず）の場所を示す指示子と、文章から構成される。
【００２３】
経路データは、図６に示すように、経路ＩＤと標識データに対する参照情報と次の標識への方向を表す番号情報と経路内順序情報を保持する。経路データにおける参照情報には全順序関係がある。同一の標識データを複数の経路から参照することが可能である。
【００２４】
以下に、上記の構成における動作を説明する。
【００２５】
＜記事登録＞
次に、登録部３０における処理を説明する。
図７は、本発明の一実施の形態における登録時のフローチャートである。
【００２６】
ステップ１０１）  クライアント端末２から、標識登録が選択された場合は、通信部６０は、設置する床面標識の標識ＩＤと記事情報が未登録の標識データを受信する。一方、経路編集が選択された場合はステップ１０４に移行する。
【００２７】
ステップ１０２）  クライアント端末２の登録者は、床面標識を設置する。
【００２８】
ステップ１０３）  登録部３０は、ステップ１０１で受信した標識ＩＤをデータベース１０に登録し、ステップ１０５に移行する。
【００２９】
ステップ１０４）  ステップ１０１において経路編集が選択された場合は、経路データ編集部５０において、床面標識Ａと床面標識Ｂの２つの繋がり方が指定された経路を編集する。
【００３０】
ステップ１０５）  登録部３０は、クライアント端末２から記事情報を取得した場合には、設置した床面標識に対応する文章や写真を含む記事を、データベース１０の標識データのテーブルに登録する。また、ステップ１０４の処理で編集された経路情報を取得した場合は、当該経路データをデータベース１０の経路データのテーブルに登録する。
【００３１】
以下に、標識情報処理装置１とクライアント端末２における登録時の動作を説明する。
【００３２】
図８は、本発明の一実施の形態における標識データ登録時のシーケンスチャートである。
【００３３】
まず、クライアント端末２の利用者が、床面標識の標識情報を登録する場合には、図９に示す標識ＩＤ入力欄２１に標識ＩＤを入力して登録ボタン２２を押下する。登録ボタン２２を押下することにより、「標識ＩＤ情報を持ち、記事情報は未登録の標識データ」が１つ生成され（ステップ２０１）、当該データが標識情報処理装置１に送信される（ステップ２０２）。標識情報処理装置１は、登録部３０において、標識ＩＤ情報をデータベース１０の標識データのテーブルに登録する（ステッ２０３）。
【００３４】
続いて、クライアント端末２では、図１０に示す経路編集画面に遷移する。当該画面に遷移すると、文章入力欄３３に記事の文章を入力する。カメラ機能を用いて写真を撮影する場合は、写真撮影ボタン３２を押下する（ステップ２０４）。記事登録ボタン３４を押下すると、標識ＩＤ情報（同図の場合は「２３６７」）を持つ標識データの記事情報が更新され、画面は上記の図７のような標識ＩＤ登録画面に遷移する。これにより、更新された記事情報が標識情報処理装置１に送信される（ステップ２０５）。
【００３５】
クライアント端末２から上記のような操作が行われると、標識情報処理装置１は、通信部６０においてクライアント端末２からの登録情報を受信し、そのうち、写真は、写真ファイル（図示せず）に格納し、その格納位置情報を登録部３０に転送する（ステップ２０６）。登録部３０においてデータベース１０の標識データのテーブルに標識ＩＤに対応付けて文章と写真の格納位置情報を追加書き込みを行う（ステップ２０７）。
【００３６】
＜経路編集＞
次に、経路編集の動作について説明する。
【００３７】
図１１は、本発明の一実施の形態における経路編集時の動作のシーケンスチャートである。
【００３８】
クライアント端末２において、図１２に示す経路編集画面が表示されると、「次の標識への方向の指定」「標識データの参照情報の削除」「標識の順序の変更」のいずれかの処理を行う。「次の標識への方向指定」は、番号で指定される。図１２の例では、標識ＩＤ「２３６７」から見て「６」の方向に標識「６５４１」があると指定している。削除チェックボックス４３は、経路から削除される標識を指定するために用いる。これらの「次の標識への方向の指定」及び「標識データの参照情報の削除」に関する経路データの更新は、経路登録ボタン４５の押下を契機として行う（ステップ３０１）。「標識の順序の変更」は、順序変更リンク４４の選択によって行う。順序変更リンク４４が選択された場合は、経路データにおける参照順序を更新し、該標識データの参照の順番を１つ上げる操作を行う。このような操作により、標識情報処理装置１に標識ＩＤ、経路ＩＤ及び更新指示を送信する（ステップ３０２）。
【００３９】
標識情報処理装置１は、通信部６０において、標識ＩＤと経路データの更新の指示を取得すると、経路データ編集部５０は、標識ＩＤ及び経路ＩＤに基づいてデータベース１０の経路データのテーブルを検索し（ステップ３０３）、更新指示に対応する方向または、順序を変更する（ステップ３０４）。標識情報処理装置１は、更新された内容を通信部６０を介してクライアント端末２に送信する（ステップ３０５）。クライアント端末２は、更新された情報を画面上に表示する（ステップ３０６）。このようにして表示されたクライアント端末２の画面の例を図１３に示す。図１３の画面が表示されている場合の、経路データのテーブルの標識ＩＤ「３４５６」の方向は「３」であり、順序は「２」に更新されている。
【００４０】
上記の記事登録及び経路データ編集の処理により、設置された標識の設置場所に即して物語の断片を記述し、その繋がり方を編集することにより、実空間の経路に沿って展開する物語を作成できる。
【００４１】
＜物語閲覧＞
次に、既にデータベース１０に格納されている床面標識の情報（記事）及び経路の情報によって構築された物語を閲覧する場合について説明する。
【００４２】
図１４は、本発明の一実施の形態における閲覧時の動作のフローチャートである。
【００４３】
クライアント端末２において、図１５に示す閲覧時の画面から標識ＩＤ入力欄５１から標識ＩＤを入力後、検索ボタン５２が押下されると、標識情報処理装置１は、クライアント端末２から標識ＩＤによる検索要求を受信する（ステップ４０１）。記事検索・表示部２０は、当該標識ＩＤに基づいてデータベース１０の標識データのテーブルを検索し、当該標識ＩＤに対応する記事を取得する。当該標識データのテーブルに写真ファイルの格納場所が示されている場合には、当該写真ファイル（図示せず）から写真も取得する。さらに、当該標識ＩＤに基づいて経路データのテーブルも参照し、次の標識の方向を取得して、記事、写真、標識の方向を検索結果としてクライアント端末２に送信する。これにより、クライアント端末２は、取得したデータを記事表示画面に表示する（ステップ４０２）。
【００４４】
具体的には、閲覧者が標識ＩＤ「２３６７」を入力すると、標識情報処理装置１では、当該標識ＩＤ「２３６７」に基づいて標識データのテーブルを検索し、文章「この通路を抜けると、その先には・・・・」と当該記事の写真を取得し、また、経路データのテーブルから次の標識の方向「６」を取得してクライアント端末２に送信する。これにより、クライアント端末２には、図１６に示すような記事表示画面が表示される。
【００４５】
上記のように、閲覧時には、閲覧者は、「標識を見つけては検索して記事を読む」という行動を繰り返して、場所と結びついた物語を楽しむことができる。
【００４６】
また、上記の図２に示す標識情報処理装置の構成要素の動作をプログラムとして構築し、標識情報処理装置（サーバ）として利用されるコンピュータにインストールして実行させる、または、ネットワークを介して流通させることが可能となる。
【００４７】
また、構築されたプログラムをハードディスクや、フレキシブルディスク・ＣＤ−ＲＯＭ等の可搬記憶媒体に格納し、コンピュータにインストールする、または、配布することが可能である。
【００４８】
なお、本発明は、上記の実施の形態に限定されることなく、特許請求の範囲内において種々変更・応用が可能である。
【産業上の利用可能性】
【００４９】
本発明は、指定された経路上の標識に関する情報を提供する技術に適用可能である。
【図面の簡単な説明】
【００５０】
【図１】本発明の原理構成図である。
【図２】円環数列によるＩＤを持つ床面標識の例である。
【図３】本発明の一実施の形態における標識情報処理装置の構成図である。
【図４】本発明の一実施の形態における標識データと経路データの例である。
【図５】本発明の一実施の形態における標識データのテーブル構造である。
【図６】本発明の一実施の形態における経路データのテーブル構造である。
【図７】本発明の一実施の形態における登録時のフローチャートである。
【図８】本発明の一実施の形態における標識データ登録時のシーケンスチャートである。
【図９】本発明の一実施の形態におけるクライアント端末の標識ＩＤ登録画面の例である。
【図１０】本発明の一実施の形態におけるクライアント端末の記事登録画面の例である。
【図１１】本発明の一実施の形態における経路編集時の動作のシーケンスチャートである。
【図１２】本発明の一実施の形態におけるクライアント端末の経路編集画面の例である。
【図１３】本発明の一実施の形態におけるクライアント端末の経路データ変更後の画面例である。
【図１４】本発明の一実施の形態における検索時の動作のフローチャートである。
【図１５】本発明の一実施の形態におけるクライアント端末の閲覧時の画面例である。
【図１６】本発明の一実施の形態における記事表示画面の例である。
【符号の説明】
【００５１】
１  標識情報処理装置
２  クライアント端末
１０  データベース
２０  記事検索・表示部
２１  標識ＩＤ入力欄
２２  登録ボタン
２３  経路編集ボタン
３０  登録部
３１  標識ＩＤ
３２  写真撮影ボタン
３３  文章入力欄
３４  登録ボタン
４０  標識データ編集部
４１  標識ＩＤ
４２  次の方向の番号を指定する入力欄
４３  削除チェックボックス
４４  順序変更リンク
４５  経路登録ボタン
５０  経路データ編集部
５１  標識ＩＤ入力欄
５２  検索ボタン
６０  通信部
６１  標識ＩＤ
６２  記事の写真
６３  記事の文章
６４  次の標識の方向を表示
６５  標識ＩＤ入力欄
６６  検索ボタン
【図１】
2010008969.tif 000003
【図２】
2010008969.tif 000004
【図３】
2010008969.tif 000005
【図４】
2010008969.tif 000006
【図５】
2010008969.tif 000007
【図６】
2010008969.tif 000008
【図７】
2010008969.tif 000009
【図８】
2010008969.tif 000010
【図９】
2010008969.tif 000011
【図１０】
2010008969.tif 000012
【図１１】
2010008969.tif 000013
【図１２】
2010008969.tif 000014
【図１３】
2010008969.tif 000015
【図１４】
2010008969.tif 000016
【図１５】
2010008969.tif 000017
【図１６】
2010008969.tif 000018